(57)【要約】【課題】近距離無線通信を介して外部機器と容易に接続することができる通信機器を提供する。【解決手段】通信機器は、近距離無線通信を介して外部機器からデータを受信する受信部と、外部機器の名称を記憶する記憶部と、記憶部に記憶された名称を表示する表示部と、受信部、記憶部、および表示部を制御する制御部とを備える。制御部は、記憶部に外部機器の名称が記憶されている場合に、受信部によって当該外部機器から所定の情報が受信されたとき、当該所定の情報を含む名称を、すでに記憶されている名称に代えて外部機器の名称として記憶部に記憶させることが可能である旨の報知処理を行う。【選択図】図9
2015027059.tif 000002
【特許請求の範囲】
【請求項１】
近距離無線通信を介して外部機器からデータを受信する受信部と、
前記外部機器の名称を記憶する記憶部と、
前記記憶部に記憶された前記名称を表示する表示部と、
前記受信部、前記記憶部、および前記表示部を制御する制御部と
を備える通信機器であって、
前記制御部は、前記記憶部に外部機器の名称が記憶されている場合に、前記受信部によって当該外部機器から所定の情報が受信されたとき、当該所定の情報を含む名称を、すでに記憶されている前記名称に代えて前記外部機器の名称として前記記憶部に記憶させることが可能である旨の報知処理を行う、通信機器。
【請求項２】
近距離無線通信を介して外部機器からデータを受信する受信部と、
前記外部機器の名称を記憶する記憶部と、
前記記憶部に記憶された前記名称を表示する表示部と、
前記受信部、前記記憶部、および前記表示部を制御する制御部と
を備える通信機器であって、
前記記憶部は、さらに、１以上の通信相手の名前と当該通信相手の通信先情報とが関連付けられたアドレス帳を記憶し、
前記制御部は、前記記憶部に外部機器の名称が記憶されている場合に、前記受信部によって当該外部機器からデータが受信され、かつ当該データを前記アドレス帳に含まれる特定の通信相手の名前と関連付けた場合、すでに記憶されている前記名称に代えて当該特定の通信相手の名前を含む名称を前記外部機器の名称として前記記憶部に記憶させることが可能である旨の報知処理を行う、通信機器。
【請求項３】
前記制御部が前記受信部によって受信されたデータを前記アドレス帳に含まれる特定の通信相手の名前と関連付けた場合とは、前記受信部が前記外部機器から受信したデータが画像データであり、前記アドレス帳が、前記特定の通信相手の名前と関連付けられた画像を有している場合に、前記制御部が、当該画像データの少なくとも一部が前記アドレス帳に含まれる前記画像と一致するか否かを判断し、一致すると判断した場合を含む、請求項２に記載の通信機器。
【請求項４】
前記制御部が前記受信部によって受信されたデータを前記アドレス帳に含まれる特定の通信相手の名前と関連付けた場合とは、前記受信部が前記外部機器から受信したデータが画像データである場合に、前記制御部が、ユーザの指示に基づいて、前記画像データを前記アドレス帳に含まれる前記特定の通信相手の画像として登録した場合を含む、請求項２に記載の通信機器。
【請求項５】
前記制御部が前記受信部によって受信されたデータを前記アドレス帳に含まれる特定の通信相手の名前と関連付けた場合とは、前記受信部が前記外部機器から受信したデータが音楽データである場合に、前記制御部が、ユーザの指示に基づいて、前記音楽データを前記アドレス帳に含まれる前記特定の通信相手からの着信に対する着信音に設定した場合を含む、請求項２に記載の通信機器。
【請求項６】
前記報知処理とは、すでに記憶されている前記名称に代えて前記外部機器の名称として前記記憶部に記憶させるかどうかをユーザに確認するメッセージを前記表示部に表示させることを含む請求項１乃至請求項５のいずれかに記載の通信機器。
【発明の詳細な説明】
【技術分野】
【０００１】
本発明は、携帯電話機、ＰＤＡ（Personal Digital Assistant）、タブレットＰＣ（Tablet PC）および電子書籍端末等の通信機器に関する。
【背景技術】
【０００２】
従来、例えばブルートゥース（Ｂｌｕｅｔｏｏｔｈ（登録商標））などの近距離無線通信を用いることにより、ユーザが所持する携帯端末と、パーソナルコンピュータやラジカセ等の外部機器との間で無線通信を行うシステムが周知である。このような無線通信システムとしては、例えば特許文献１に記載のシステムが知られている。（例えば、特許文献１参照）。
【先行技術文献】
【特許文献】
【０００３】
【特許文献１】特開２０１０−２６３５０６号公報
【発明の概要】
【発明が解決しようとする課題】
【０００４】
このように携帯端末と外部機器との間でブルートゥースによる接続（以下、「ブルートゥース接続」ともいう。）を行うためには、ペアリングを行う必要がある。ペアリングとは、ブルートゥース接続のために相互に相手のブルートゥースアドレスを登録し、以後の接続を許可するためのものである。
【０００５】
携帯端末と外部機器と間でペアリングが完了すると、携帯端末に外部機器の名称が登録される。そして、その携帯端末の表示画面において、ペアリングが完了した外部機器の名称を確認することができる。携帯端末が複数の外部機器とペアリングを行った場合には、複数の名称が例えばリスト化されて表示画面に表示され、ユーザは、そのリストの中から１つを選択することにより、携帯端末とその選択した外部機器との間で、ブルートゥース接続を開始させることができる。
【０００６】
しかし、デフォルトで携帯端末に登録される外部機器の名称は、当該機器の製品名等の単純な名称や、アルファベットや数字の列からなる製品コード等の無機質な名称であることが多く、このような名称が多数リスト化されて表示されても、ユーザは、接続しようとする機器を特定することは困難である。
【０００７】
よって、近距離無線通信を介して外部機器と接続する際に、ユーザにとってより利便性の高い通信機器が求められている。
【課題を解決するための手段】
【０００８】
本発明の一態様による通信機器は、近距離無線通信を介して外部機器からデータを受信する受信部と、前記外部機器の名称を記憶する記憶部と、前記記憶部に記憶された前記名称を表示する表示部と、前記受信部、前記記憶部、および前記表示部を制御する制御部とを備える。前記制御部は、前記記憶部に外部機器の名称が記憶されている場合に、前記受信部によって当該外部機器から所定の情報が受信されたとき、当該所定の情報を含む名称を、すでに記憶されている前記名称に代えて前記外部機器の名称として前記記憶部に記憶させることが可能である旨の報知処理を行う。
【０００９】
本発明の一態様による通信機器は、近距離無線通信を介して外部機器からデータを受信
する受信部と、前記外部機器の名称を記憶する記憶部と、前記記憶部に記憶された前記名称を表示する表示部と、前記受信部、前記記憶部、および前記表示部を制御する制御部とを備える。前記記憶部は、さらに、１以上の通信相手の名前と当該通信相手の通信先情報とが関連付けられたアドレス帳を記憶し、前記制御部は、前記記憶部に外部機器の名称が記憶されている場合に、前記受信部によって当該外部機器からデータが受信され、かつ当該データを前記アドレス帳に含まれる特定の通信相手の名前と関連付けた場合、すでに記憶されている前記名称に代えて当該特定の通信相手の名前を含む名称を前記外部機器の名称として前記記憶部に記憶させることが可能である旨の報知処理を行う。
【発明の効果】
【００１０】
本発明の一態様に係る通信機器によれば、近距離無線通信を介して外部機器と接続する際の利便性を向上させることができる。
【図面の簡単な説明】
【００１１】
【図１】本発明の実施形態による通信機器と外部機器との間でブルートゥースによる接続が行われた状態を示す模式的な図である。
【図２】本発明の実施形態による通信機器の外観を示す前面図である。
【図３】本発明の実施形態による通信機器の外観を示す背面図である。
【図４】本発明の実施形態による通信機器の電気的構成を主に示すブロック図である。
【図５】外部機器の電気的構成を主に示すブロック図である。
【図６】携帯電話機において、ペアリング時に登録された外部機器の名称のリストを表示する画面を示す図である。
【図７】携帯電話機と外部機器との間でペアリングを行う際の携帯電話機のディスプレイに表示される画面の遷移を示す図である。
【図８】携帯電話機と外部機器との間でペアリングを行う際の携帯電話機のディスプレイに表示される画面の遷移を示す図である。
【図９】携帯電話機が外部機器からｖＣａｒｄを受信した際の携帯電話機のディスプレイに表示される画面の遷移を示す図である。
【図１０】携帯電話機が外部機器から画像データを受信した際の携帯電話機のディスプレイに表示される画面の遷移を示す図である。
【図１１】携帯電話機が外部機器から画像データを受信した際の携帯電話機のディスプレイに表示される画面の遷移を示す図である。
【図１２】携帯電話機が外部機器から音楽データを受信した際の携帯電話機のディスプレイに表示される画面の遷移を示す図である。
【図１３】携帯電話機が外部機器とブルートゥース接続した場合におけるその外部機器の名称を変更する処理について説明するフローチャートである。
【図１４】携帯電話機が外部機器とブルートゥース接続した場合におけるその外部機器の名称を変更する処理について説明するフローチャートである。
【図１５】図１４に続いて、受信したデータが音楽データである場合の処理を説明するフローチャートである。
【図１６】図１４に続いて、受信したデータをアドレス帳に登録した場合の処理を説明するフローチャートである。
【図１７】過去に受信した画像データをアドレス帳に含まれる通信相手の名前と関連付けた場合の処理を説明するフローチャートである。
【図１８】過去に受信した音楽データをアドレス帳に含まれる通信相手の名前と関連付けた場合の処理を説明するフローチャートである。
【発明を実施するための形態】
【００１２】
以下、本発明の実施形態について図面を参照しつつ説明する。なお、以下で説明する通
信機器は、一例として携帯電話機、より具体的にはスマートフォン（smart phone）であ
る。ただし、本発明はＰＤＡおよびタブレットＰＣなど任意の通信機器に適用可能である。
【００１３】
図１は、本発明の実施形態による通信機器が外部機器とブルートゥースによる接続を行った状態を示す模式的な図である。外部機器は、例えば、パーソナルコンピュータ、携帯電話機、およびカメラである。本実施形態による通信機器は、外部機器から所定の情報が受信されたときや、受信されたデータがアドレス帳に含まれる特定の通信相手の名前と関連付けられた場合に、近距離無線通信を介して外部機器と接続する際にユーザにとって外部機器を特定しやすいように、記憶部に記憶される外部機器の名称を書き換えることが可能である旨の報知処理を行う。この報知処理により、ユーザは外部機器の名称を書き換えることが可能であることを知らされるため、外部機器の名称をデフォルトの名称から変更することをすっかり忘れて、それ以降の外部機器の特定が困難になるといった事態から解放される。これにより、本実施形態による通信機器は、近距離無線通信を介して外部機器と接続する際の利便性を向上させることができる。
【００１４】
まず、本発明の実施形態による通信機器である携帯電話機について説明する。
＜携帯電話機の外観＞
図２および図３は、それぞれ、携帯電話機１ａの外観を示す正面図および背面図である。以下、説明の便宜上、図２および図３に示すように、筐体２の長手方向をＹ方向と定義し、筐体２の短手方向をＸ方向と定義する。
【００１５】
図２および図３に示されるように、携帯電話機１ａは、筐体２と、ディスプレイ３と、タッチパネル４と、マイクロフォン５と、通話スピーカ６と、外部スピーカ７と、撮像レンズ８とを備えている。
【００１６】
筐体２は、正面から見て、ほぼ長方形の輪郭を有する。筐体２の正面には、ディスプレイ３が設けられている。ディスプレイ３は、たとえば、液晶ディスプレイである。ディスプレイ３は、液晶ディスプレイ以外のディスプレイ、たとえば、有機ＥＬディスプレイであってもよい。
【００１７】
筐体２の正面には、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００１８】
筐体２の内部には、下端部にマイクロフォン５が配されている。マイクロフォン５は、筐体２の正面に形成されたマイク孔５ａを通過した音声を受け付ける。マイクロフォン５は、入力された音に応じた電気信号を生成する。また、筐体２の内部には、上端部に通話スピーカ６が配されている。通話スピーカ６は、音を出力する。出力された音声は、筐体２の正面に形成された出力孔６ａを通過して筐体２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００１９】
また、筐体２の内部には、外部スピーカ７が配されている。筐体２の背面には、外部スピーカ７と対向する領域に出力孔７ａが形成されている。外部スピーカ７から出力された音は、出力孔７ａを通過して筐体２の外に放出される。また、筐体２の背面には、後述する撮像部が有する撮像レンズ８が露出している。
【００２０】
＜携帯電話機の電気的構成＞
図４は、携帯電話機１ａの電気的構成を主に示すブロック図である。図４に示されるように、携帯電話機１ａは、制御部１１と、表示部１２と、タッチ検出部１３と、音声入力部１４と、音声出力部１５と、音声処理部１６と、キー入力部１７と、ＢＴ通信部１８と、無線通信部２０と、撮像部２１と、記憶部２２と、電源部２３とを備えている。
【００２１】
制御部１１は、ＣＰＵを含む。制御部１１は、記憶部２２に記憶されたプログラムに従って、携帯電話機１ａを構成する各部（表示部１２、タッチ検出部１３、音声入力部１４、音声出力部１５、音声処理部１６、キー入力部１７、ＢＴ通信部１８、無線通信部２０、撮像部２１、記憶部２２等）を制御する。
【００２２】
表示部１２は、図２に示すディスプレイ３を含む。表示部１２は、制御部１１からの制御信号と画像信号に基づき、ディスプレイ３に画像（画面）を表示する。
【００２３】
タッチ検出部１３は、図２に示すタッチパネル４を含む。タッチパネル４は、ディスプレイ３上に設けられるため、タッチ検出部１３は、ディスプレイ３へのユーザによるタッチ操作を、タッチパネル４により検出する。すなわち、タッチ検出部１３は、ユーザがディスプレイ３の領域内を触れた場合に、タッチパネル４を用いて、ユーザが触れた位置（以下、「タッチ位置」と称する）を検出する。タッチ検出部１３は、検出したタッチ位置に基づいて生成された位置信号を制御部１１へ出力する。
【００２４】
ユーザは、タッチパネル４を指で触れることにより様々なタッチ操作を行うことができる。タッチ操作は、たとえば、タップ操作、フリック操作、スライド操作、ドラッグ操作等を含む。タップ操作とは、ユーザがタッチパネル４に指を接触させた後、短時間のうちに指をタッチパネル４から離す操作である。フリック操作とは、ユーザがタッチパネル４に指を接触させた後、タッチパネル４を指で任意の方向に弾く操作である。スライド操作とは、ユーザがタッチパネル４に指を接触させたまま、任意の方向へ指を移動させる操作である。ドラッグ操作とは、ユーザがアイコン等の移動対象物に対するスライド操作を行った後、タッチパネル４から指を離す操作である。
【００２５】
例えば、タッチ検出部１３がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００２６】
音声入力部１４は、マイクロフォン５を含む。音声入力部１４は、マイクロフォン５からの電気信号を音声処理部１６へ出力する。
【００２７】
音声出力部１５は、通話スピーカ６および外部スピーカ８を含む。音声出力部１５には、音声処理部１６からの電気信号が入力される。音声出力部１５は、通話スピーカ６または外部スピーカ８から音を出力させる。
【００２８】
音声処理部１６は、音声入力部１４からの電気信号にＡ／Ｄ変換等を施し、変換後のデジタルの音声信号を制御部１１へ出力する。音声処理部１６は、制御部１１からのデジタルの音声信号にデコード処理およびＤ／Ａ変換等を施し、変換後の電気信号を音声出力部１５に出力する。
【００２９】
キー入力部１７は、少なくとも１つ以上のハードキー（図示せず）を含む。たとえば、キー入力部１７は、携帯電話機１ａに電源を投入するための電源キーなどを含む。キー入力部１７は、携帯電話機１ａに配された各種ハードキーのうち、少なくとも一つのキーが押下されたときに、押下されたハードキーに対応する信号を制御部１１に出力する。
【００３０】
ＢＴ通信部１８は、ＢＴアンテナ１８ａを備える。ＢＴ通信部１８は、ＢＴアンテナ１８ａを通じ、他の機器との間で、Ｂｌｕｅｔｏｏｔｈ（登録商標）方式に従う近距離無線通信を行う。ユーザは、任意の外部機器と、パスワードで保護される接続設定を行うことで、画像ファイルや文字列ファイルなどのデータを、任意の外部機器に送信したり、任意の外部機器から受信したりすることが可能である。
【００３１】
無線通信部２０は、アンテナ２０ａを備える。無線通信部２０は、制御部１１から入力される通話や通信のための信号を無線信号に変換し、変換された無線信号を、アンテナ２０ａを介して基地局や他の通信装置等の通信先へ送信する。さらに、無線通信部２０は、アンテナ２０ａを介して受信した無線信号を制御部１１が利用できる形式の信号へ変換し、変換された信号を制御部１１へ出力する。
【００３２】
撮像部２１は、撮像レンズ８及び撮像素子などで構成されており、制御部１１による制御に基づいて、静止画像及び動画像を撮像する。図３に示されるように、撮像レンズ８は、携帯電話機１ａの裏面に設けられていることから、携帯電話機１ａの裏面側に存在する物体を撮像することが可能である。
【００３３】
記憶部２２は、ＲＯＭ、ＲＡＭ、外部メモリを含む。記憶部２２には、各種のプログラムが記憶されている。記憶部２２に記憶されるプログラムは、携帯電話機１ａの各部を制御するための制御プログラムの他、各種アプリケーション（たとえば、ホーム、電話、電子メール、ウェブブラウザ、地図、ゲーム、スケジュール管理等）を含む。プログラムは、メーカによって携帯電話機１ａの製造時に記憶部１２に記憶される他、ユーザによって通信網やメモリカード、ＣＤ−ＲＯＭ等の記憶媒体を介して記憶部２２に記憶される。
【００３４】
記憶部２２には、プログラムの実行の際、一時的に利用または生成されるデータを記憶するワーキング領域も含まれる。また、後述するが、記憶部２２には、ペアリング済みの外部機器の情報、およびアドレス帳が記憶される。アドレス帳は、１以上の通信相手の名前と当通信相手の通信先情報とが関連付けられている。
【００３５】
電源部２３は、バッテリーおよび残量検出部を含む。電源部２３は、バッテリーの電力を制御部１１および制御部１１以外の各部に供給する。また、電源部２３は、外部電源からの電力をバッテリーに供給して、バッテリーを充電する。さらに、電源部２３は、残量検出部により検出されたバッテリーの残量に応じた検出信号を制御部１１に出力する。
【００３６】
＜外部機器の構成＞
外部機器としては、例えば、他の通信電話機器、パーソナルコンピュータ、カメラ、および音楽プレーヤーなどが挙げられる。これらは機能が異なるため、その構成は様々であるが、共通して、携帯電話機１ａとの間でブルートゥースによる通信を行うための構成を備えている。よって、外部機器は、図５に示すように、共通して、制御部１１０、ＢＴ通信部１８０、記憶部２２０などを備えている。ＢＴ通信部１８０はブルートゥース通信用アンテナ１８０ａを介してブルートゥース通信を行う。記憶部２２０は読み出し，書き込み可能な記憶装置であり、この記憶部２２０にはペアリング相手情報が登録される。ペアリング相手情報はペアリング済みの相手装置のブルートゥースアドレスであり、ペアリング時に制御部１１０により登録される。制御部１１０は、ＣＰＵ(Central Processing Unit)等の制御装置であり、プログラムにより動作を制御される。なお、外部機器は、その
種類によって点線部で示すような表示部や入力部を備えていてよい。
【００３７】
＜携帯電話機の動作＞
次に、携帯電話機１ａの動作について説明する。図６は、携帯電話機１ａが複数の外部機器とペアリングを行った際にデフォルトで登録された外部機器の名称のリストがディスプレイ３に表示された様子を示している。図６に示すように、携帯電話機１ａには、例えば、ＡＢＣ社のパーソナルコンピュータ（製品名：ＤＥ６００）と、ＦＧ社のカメラ（製品名：ＨＩ−００１２３）、およびＪＭ社の携帯電話機（製品名：ＭＯＢ ＰＨＯＮＥ）
が登録されている。なお、ここでいう、登録された外部機器の名称とは、外部機器の名称として記憶部２２に記憶された名称である。表示部１２は、これらの記憶部２２に記憶された名称を表示する。
【００３８】
また、図６に示す画面には、例えば、操作キー群１０１が表示される。操作キー群１０１は、設定キー１０１ａ、ホームキー１０１ｂ、およびバックキー１０１ｃから構成されている。設定キー１０１ａは、主に、各種設定を行う設定画面をディスプレイ３に表示させるためのキーである。ホームキー１０１ｂは、主に、ディスプレイ３の表示を他の画面からホーム画面に移行させるためのキーである。バックキー１０１ｃは、主に、実行された処理を１ステップ前の処理に戻すためのキーである。なお、これら操作キー群１０１の表示は、単なる例示であって、いずれかの操作キーが省略されてもよいし、他の操作キーが表示されてもよい。
【００３９】
（ペアリング）
まず、外部機器との間でペアリングを行う際の携帯電話機１ａにおける処理を、携帯電話機１ａのディスプレイ３に表示される画面の遷移を示しながら説明する。図７（ａ）は、すでにペアリングが完了した外部機器の名称を表示する画面である。
【００４０】
ユーザの指示により、携帯電話機１ａが外部機器とのペアリングを開始すると、携帯電話機１ａは、周辺機器の検索を行う。このときディスプレイ３に表示される画面は、例えば、図７（ｂ）に示す画面である。図７（ｂ）に示すように、この画面には、例えば、ユーザが検索中止を指示するためのキャンセルボタン１０２ａが表示される。
【００４１】
携帯電話機１ａは、周辺機器の検索が終了すると、図７（ｃ）に示すように、検出した外部機器の名称（デフォルトの名称）１０３ａと外部機器のブルートゥースアドレス１０３ｂとをディスプレイ３に表示する。
【００４２】
次に、ユーザが「ＪＭ ＭＯＢＰＨＯＮＥ」とのブルートゥース接続を指示すると、携
帯電話機１ａは、図８（ａ）に示すように、ユーザにピンコードの入力を求めるメッセージを表示する。ユーザがピンコードを入力すると、図８（ｂ）のような画面に遷移し、ペアリングが完了すると、図８（ｃ）の画面を表示する。その後、携帯電話機１ａにおいてすでにペアリングが完了した外部機器の名称を表示させると、図７（ａ）の画面と比較して、外部機器の名称である「ＪＭ ＭＯＢ ＰＨＯＮＥ」が追加されている。なお、ここでいうピンコードとは、ペアリングの際に入力する必要のある暗証番号であり、例えば４〜８桁の数字からなる。
【００４３】
なお、図８（ａ）の画面には、ピンコードの入力が完了した後でユーザがタッチする、いわゆる決定ボタン１０２ｂと、ペアリングの中止を指示するためのキャンセルボタン１０２ｃが表示されてもよく、図８（ｂ）の画面には、ユーザがペアリングの中止を指示するためのキャンセルボタン１０２ｄが表示されてもよい。
【００４４】
（ｖＣａｒｄを受信した場合）
次に、ペアリングが完了した外部機器から携帯電話機１ａがｖＣａｒｄを受信した場合の処理を説明する。ｖＣａｒｄは、名前、住所、電話番号などを含む電子名刺であり、メールやブルートゥースを利用して、機器同士で送受信が可能である。携帯電話機１ａは、受信したｖＣａｒｄが、ペアリングした外部機器から送信されたものであり、かつｖＣａｒｄのデータ中に名前の情報が存在すれば、ユーザに対して、その名前を含む名称を、すでに登録されている名称に代えて当該外部機器の名称として登録することが可能である旨の報知処理を行う。その後、ユーザによって登録の指示があれば、ｖＣａｒｄのデータ中の名前を含む名称を、送信元の外部機器の名称として登録する。
【００４５】
以下では、アドレス交換の際に、外部機器（ＪＭ社の携帯電話機）からｖＣａｒｄが送信された場合について説明する。なお、携帯電話機１ａがｖＣａｒｄを受信する前は、この外部機器の名称は、「ＪＭ ＭＯＢ ＰＨＯＮＥ」として記憶部２２に記憶されているとする。
【００４６】
携帯電話機１ａは、外部機器からｖＣａｒｄを受信すると、そのｖＣａｒｄを受け取るか否か、ここでは、アドレスを受け取るか否かをユーザに確認するメッセージをディスプレイ３に表示する（図９（ａ））。
【００４７】
ユーザが「受け取る」のボタン１０３ａをタッチして、ｖＣａｒｄを受け取ることを指示すると、携帯電話機１ａは、ＢＴ通信部１８を介してｖＣａｒｄを受信する。そして、受信が完了すると、携帯電話機１ａは、その旨をユーザに通知する（図９（ｂ））。次に、携帯電話機１ａは、受信したｖＣａｒｄのデータに含まれる名前（Mike）を含む名称（Mike’s phone）を、すでに記憶されている名称（ＪＭ ＭＯＢ ＰＨＯＮＥ）に代えて
外部機器の名称として記憶部２２に記憶させることが可能である旨をユーザに報知する。ここでは「Mike’s phone」を、外部機器の名称として記憶させるか否かを確認するメッ
セージをディスプレイ３に表示する。
【００４８】
携帯電話機１ａは、ユーザによるタッチパネル４へのタッチ操作により、記憶部２２に記憶された外部機器の名称の置き換えが指示される、すなわち、ＹＥＳボタン１０４ａがタッチされると、外部機器の名称をｖＣａｒｄのデータ中の名前を含む名称に置き換える（図９（ｄ））。
【００４９】
なお、図９（ａ）に示す画面において「拒否する」ボタン１０３ｂがタッチされると、携帯電話機１ａは、ｖＣａｒｄを受信しない。また、図９（ｃ）に示す画面においてＮＯボタン１０４ｂがタッチされると、記憶部２２に記憶された外部機器の名称は変更されず、そのままの名称（ここでは、「ＪＭ ＭＯＢ ＰＨＯＮＥ」）が維持される。
【００５０】
（画像データを受信した場合）
次に、携帯電話機１ａが外部機器から画像データを受信した場合の処理を説明する。
（１）携帯電話機１ａは、画像データが、ペアリングした外部機器から送信されたものである場合、その画像データ中の顔を検出してもよい。検出された顔が、携帯電話機１ａのアドレス帳に登録されている顔写真の顔（顔画像）と一致した場合、携帯電話機１ａは、アドレス帳においてその登録されている顔写真に対応する名前を含む名称を、すでに登録されている名称に代えて外部機器の名称として登録させることが可能である旨を報知する。
【００５１】
以下では、外部機器（ＡＢＣ社のパーソナルコンピュータ）から、画像データが送信されてきた場合について説明する。なお、携帯電話機１ａが画像データを受信する前は、外部機器（ＡＢＣ社のパーソナルコンピュータ）の名称は、「ＡＢＣ ＤＥ６００」として
記憶部２２に登録されているものとする。
【００５２】
携帯電話機１ａは、外部機器から画像データを受信すると、その画像データを受け取るか否かをユーザに確認するメッセージをディスプレイ３に表示する（図１０（ａ））。
【００５３】
ユーザが「受け取る」ボタン１０５ａをタッチして、画像データを受け取ることを指示すると、携帯電話機１ａは、ＢＴ通信部１８を介して画像データを受信する。そして、受信が完了すると、その旨をユーザに通知する（図１０（ｂ））。次に、携帯電話機１ａは、受信した画像データ中の顔を検出する。顔が検出された場合、携帯電話機１ａは、その顔がアドレス帳に登録されている顔写真の顔のいずれかと一致するか否か判断する。検出された顔が、アドレス帳に登録されている顔写真の顔と一致する場合、携帯電話機１ａは、その一致した顔の顔写真に対応する、アドレス帳に登録された名前（京セラ太郎）を含む名称（京セラ太郎’ｓ ＰＣ）を、すでに記憶されている名称（ＡＢＣ ＤＥ６００）に代えて外部機器の名称として記憶部２２に記憶させるかどうかをユーザに確認する（図１０（ｃ））。なお、受信した画像データ中において顔が検出されない場合、又は検出された顔がアドレス帳に登録されている顔写真の顔と一致しない場合は、図１０（ｃ）のメッセージは表示されず、受信した画像データを記憶部２２に保存するのみである。
【００５４】
携帯電話機１ａは、ユーザによるタッチパネル４へのタッチ操作により、アドレス帳における名前を含む名称を外部機器の名称として登録することが指示される、すなわちＹＥＳボタン１０６ａがタッチされると、外部機器の名称をその顔写真に対応する名前を含む名称に置き換える（図１０（ｄ））。
【００５５】
なお、図１０（ａ）に示す画面において「拒否する」ボタン１０５ｂがタッチされると、携帯電話機１ａは、画像データを受信しない。また、図１０（ｃ）に示す画面においてＮＯボタン１０６ｂがタッチされると、記憶部２２に記憶された外部機器の名称は変更されず、そのままの名称（ここでは、「ＡＢＣ ＤＥ６００」）が維持される。
【００５６】
（２）携帯電話機１ａは、画像データが、ペアリングした外部機器から送信されたものであり、その画像データが、ユーザによって、アドレス帳における特定の人物の画像として登録された場合、その画像データが登録された特定の人物の名前を含む名称を、すでに登録されている名称に代えて外部機器の名称として登録することが可能である旨をユーザに報知してもよい。
【００５７】
携帯電話機１ａは、ユーザによるタッチパネル４へのタッチ操作により、上記特定の人物の名前を含む名称を外部機器の名称として登録することが指示されると、外部機器の名称を上記特定の名前を含む名称に置き換える。
【００５８】
以下では、ＡＢＣ社のパーソナルコンピュータから、画像データが送信されてきた場合について説明する。なお、外部機器の名称は、「ＡＢＣ ＤＥ６００」として予め記憶部
２２に登録されているものとする。なお、外部機器から画像データを受信したときにディスプレイ３に表示されるメッセージ、およびデータ受信が完了したときにディスプレイ３に表示されるメッセージは、図１０（ａ）（ｂ）に示したものと同様である。よって、これらのメッセージを表示する画面の図示および説明は省略する。
【００５９】
携帯電話機１ａは、画像データの受信が完了すると、図１１（ａ）に示すように、その画像データをアドレス帳に登録するか否かを確認するメッセージをディスプレイ３に表示する。ユーザによるタッチパネル４へのタッチ操作により、アドレス帳に登録することが指示されると、携帯電話機１ａは、ディスプレイ３にアドレス帳の画面を表示させる（図１１（ｂ））。ユーザは、そのアドレス帳の画面から、画像データを登録する人物（ここでは、「京セラ  太郎」）を選択する。
【００６０】
ユーザによって、画像データを登録する人物が選択されると、携帯電話機１ａは、受信した画像データをその選択された通信相手の顔写真として登録し、アドレス帳に登録された顔写真に対応する名前、すなわち選択された特定の通信相手の名前（京セラ太郎）を含む名称（京セラ太郎’ｓ ＰＣ）を、その画像データを送信した外部機器の名称として登
録するか否かをユーザに確認するメッセージをディスプレイ３に表示する（図１１（ｃ））。
【００６１】
携帯電話機１ａは、ユーザによるタッチパネル４へのタッチ操作により、アドレス帳における名前を含む名称を外部機器の名称として登録することが指示される、すなわちＹＥＳボタン１０６ａがタッチされると、外部機器の名称をその画像データが登録された通信相手の名前を含む名称に置き換える（図１１（ｄ））。
【００６２】
なお、図１１（ａ）に示す画面において「拒否する」ボタン１０７ｂがタッチされると、携帯電話機１ａは、受信した画像データをアドレス帳に登録せず、その画像データをそのまま記憶部２２に保存する。また、図１１（ｃ）に示す画面においてＮＯボタン１０６ｂがタッチされると、記憶部２２に記憶された外部機器の名称は変更されず、そのままの名称（ここでは、「ＡＢＣ ＤＥ６００」）が維持される。
【００６３】
また、携帯電話機１ａは、図１１（ａ）の画面において「拒否する」ボタン１０７ｂがタッチされて画像データを記憶部２２に保存する場合、その受信された画像データのＥｘｉｆ情報に、当該画像データを送信した外部機器の情報、例えばブルートゥースアドレスを付与して保存してもよい。このように外部機器の情報を付与して画像データを保存しておくと、その後、ユーザの指示に従って、その画像データを、アドレス帳の特定の通信相手の顔写真として登録した場合に、画像データのＥｘｉｆ情報から送信機器の情報を取り出すことができる。この取り出した情報により、画像データがブルートゥース通信を介して外部機器（例えば、「外部機器Ａ」とする。）から入手したものであると判断すると、携帯電話機１ａは、アドレス帳においてその画像データが登録された特定の通信相手の名前を含む名称を、すでに登録されている外部機器Ａの名称に代えて外部機器Ａの名称として登録するか否かをユーザに確認するメッセージをディスプレイ３に表示させることができる。
【００６４】
以上のように、受信された画像データのＥｘｉｆ情報に、当該画像データを送信した外部機器の情報を付与することにより、外部機器から画像データを受信した際に限らず、画像データを受信して外部機器の名称を変更せずに処理を一旦終了し、時間が経過した後にその画像データをアドレス帳に登録する際にも外部機器の名称の変更が可能となる。
【００６５】
なお、携帯電話機１ａが画像データを保存する際、画像データのＥｘｉｆ情報に外部機器の情報を付与する代わりに、携帯端末１ａの画像管理データベースに外部機器の情報を書き込んでもよい。この場合には、画像データをアドレス帳の特定の通信相手の顔写真として登録する際に、画像管理データベースから、当該画像データの送信機器の情報を取り出すことができる。
【００６６】
（音楽データを受信した場合）
携帯電話機１ａは、音楽データが、ペアリングした外部機器から送信されたものであり、その音楽データが、ユーザによって、アドレス帳に含まれる特定の通信相手からの着信に対する着信音に設定された場合（その音楽データが、ユーザによって、アドレス帳における特定の人物の画像として登録された場合）、その音楽データが着信音として設定された特定の通信相手の名前を含む名称を、すでに登録されている機器の名称に代えて外部機器の名称として登録することが可能である旨をユーザに報知してもよい。
【００６７】
携帯電話機１ａは、ユーザによるタッチパネル４へのタッチ操作により、アドレス帳における上記特定の通信相手の名前を含む名称を外部機器の名称として登録することが指示されると、外部機器の名称を上記特定の通信相手の名前を含む名称に置き換える。
【００６８】
以下では、ＡＢＣ社のパーソナルコンピュータから、音楽データが送信されてきた場合について説明する。なお、外部機器の名称は、「ＡＢＣ ＤＥ６００」として予め記憶部
２２に登録されているものとする。なお、外部機器から音楽データを受信したときにディスプレイ３に表示されるメッセージは、例えば、「ＡＢＣ ＤＥ６００からの音楽データ
を受け取りますか」というものであり、図１０（ａ）における画面の「画像データ」を「音楽データ」に変換したものと同様である。また、データ受信が完了したときにディスプレイ３に表示されるメッセージは図１０（ｂ）に示したものと同様である。よって、これらのメッセージを表示する画面の図示および説明は省略する。
【００６９】
携帯電話機１ａは、音楽データの受信が完了すると、図１２（ａ）に示すように、その音楽データをアドレス帳に含まれる特定の通信相手からの着信に対する着信音に設定するか否かを確認するメッセージをディスプレイ３に表示する。ユーザによるタッチパネル４へのタッチ操作により、特定の通信相手の着信音に設定することが指示されると、携帯電話機１ａは、ディスプレイ３にアドレス帳の画面を表示させる（図１２（ｂ））。ユーザは、そのアドレス帳の画面から、音楽データを着信音として設定する人物（ここでは、「京セラ  太郎」）を選択する。
【００７０】
ユーザによって、音楽データを着信音として設定する人物が選択されると、携帯電話機１ａは、受信した音楽データをアドレス帳に含まれる特定の通信相手からの着信に対する着信音として設定し、当該特定の通信相手の名前（京セラ太郎）を含む名称（京セラ太郎’ｓ ＰＣ）を、その音楽データを送信した外部機器の名称として登録するか否かを
ユーザに確認するメッセージをディスプレイ３に表示する（図１２（ｃ））。
【００７１】
携帯電話機１ａは、ユーザによるタッチパネル４へのタッチ操作により、上記特定の通信相手の名前を含む名称を外部機器の名称として登録することが指示される、すなわちＹＥＳボタン１０６ａがタッチされると、外部機器の名称をその着信音が設定された通信相手の名前を含む名称に置き換える（図１２（ｄ））。
【００７２】
なお、図１２（ａ）に示す画面において「拒否する」ボタン１０８ｂがタッチされると、携帯電話機１ａは、音楽データを特定の通信相手の着信音として設定せず、その音楽データをそのまま記憶部２２に保存する。また、図１２（ｃ）に示す画面においてＮＯボタン１０６ｂがタッチされると、記憶部２２に記憶された外部機器の名称は変更されず、そのままの名称（ここでは、「ＡＢＣ ＤＥ６００」）となる。
【００７３】
また、携帯電話機１ａは、図１２（ａ）の画面において「拒否する」ボタン１０８ｂがタッチされて音楽データを保存する場合、記憶部２２における音楽データの管理データベースに、当該音楽データを送信した外部機器の情報、例えばブルートゥースアドレスを付与して保存してもよい。このように音楽管理データベースに外部機器の情報を保存しておくと、その後、ユーザの指示に従って、その音楽データを、アドレス帳の特定の通信相手の着信音として設定した場合に、音楽データがブルートゥース通信を介して外部機器から入手したものであるか否かを判断することが可能となる。ブルートゥース通信を介して外部機器から入手したものであると判断すると、携帯電話機１ａは、アドレス帳においてその音楽データを着信音として設定した特定の通信相手の名前を含む名称を、すでに登録されている外部機器の名称に代えて外部機器の名称として登録するか否かをユーザに確認するメッセージをディスプレイ３に表示させることができる。
【００７４】
以上のように、受信された音楽データを記憶部２２に記憶するとともに、管理データベースに、当該音楽データを送信した外部機器の情報を保存することにより、外部機器から音楽データを受信した際に限らず、音楽データを受信して外部機器の名称を変更せずに処理を一旦終了し、時間が経過した後にその音楽データをアドレス帳に含まれる特定の通信相手の着信音として設定する場合にも、外部機器の名称変更が可能となる。
【００７５】
次に、携帯電話機１ａが外部機器とブルートゥース接続した場合におけるその外部機器の名称の変更処理について、図１３および図１４のフローチャートを用いて説明する。
【００７６】
まず、図１３に示すように、携帯電話機１ａの制御部１１は、ＢＴ通信部１８を介して接続しようとする外部機器がペアリング済みか否か判断する（Ｓ１）。ここで、制御部１１は、外部機器からＢＴ通信部１８によって受信されたブルートゥースアドレスが、ペアリング済みのブルートゥースアドレスとして、記憶部２２に記憶されているか否か判断し、記憶部２に記憶されている場合は、ペアリング済みであると判断し、記憶されていない場合は、ペアリング済みでないと判断する。ペアリング済みでないと判断した場合（Ｓ１：ＮＯ）、制御部１１は、例えば、表示部１２に適当なメッセージを表示させる等して、ユーザにペアリングを促す（Ｓ２）。
【００７７】
次に、制御部１１は、ペアリングが完了したか否か判断する（Ｓ３）。制御部１１は、ペアリングが完了したと判断した場合（Ｓ３：ＹＥＳ）、ステップ５に処理を進める。一方、ペアリングが完了したと判断しない場合（Ｓ３：ＮＯ）、制御部１１は、ユーザがＢＴ通信をキャンセルしたか否か判断する（Ｓ４）。このＢＴ通信のキャンセルには、例えば、ユーザが図７（ｂ）に示したキャンセルボタン１０２ａをタッチした場合、図８（ｂ）に示したキャンセルボタン１０２ｄをタッチした場合、ＢＴ通信自体をオフした場合、および携帯電話機１ａの電源をオフした場合などを含む。ユーザがＢＴ通信をキャンセルした場合（Ｓ４：ＹＥＳ）、制御部１１は、処理を終了する（図１４参照）。ユーザがＢＴ通信をキャンセルしない場合（Ｓ４：ＮＯ）、制御部１１は、ステップ１（Ｓ１）に戻って処理を繰り返す。
【００７８】
一方、ステップ１においてＢＴ通信をしようとする外部機器がペアリング済みである場合（Ｓ１：ＹＥＳ）、制御部１１は、その外部機器からＢＴ通信部１８を介してデータを受信したか否かを判断する（Ｓ５）。例えば図９（ａ）に示した「拒否する」ボタン１０５ｂがタッチされた場合など、データを受信したと判断しない場合（Ｓ５：ＮＯ）、制御部１１は、ユーザがＢＴ通信をキャンセルしたか否か判断する（Ｓ４）。ユーザがＢＴ通信をキャンセルした場合（Ｓ４：ＹＥＳ）、制御部１１は、処理を終了する（図１４参照）。ユーザがＢＴ通信をキャンセルしない場合（Ｓ４：ＮＯ）、制御部１１は、ステップ１（Ｓ１）に戻って処理を繰り返す。
【００７９】
ステップ５においてデータを受信したと判断した場合（Ｓ５：ＹＥＳ）、制御部１１は、そのデータ形式から、そのデータがｖＣａｒｄであるか否か判断する（Ｓ６）。ｖＣａｒｄであると判断した場合（Ｓ６：ＹＥＳ）、制御部１１は、図１４に示すように、ｖＣａｒｄのデータ中に名前があるか否か判断する（Ｓ７）。制御部１１は、ｖＣａｒｄのデータ中に名前がないと判断すると（Ｓ７：ＮＯ）、処理を終了する。
【００８０】
一方、制御部１１は、ｖＣａｒｄのデータ中に名前があると判断すると（Ｓ７：ＹＥＳ）、その名前を含む名称を、すでに登録されている、すなわち記憶部２２に記憶されている名称に代えて外部機器の名称として記憶部２２に記憶させることが可能である旨の報知処理を行う。より具体的には、制御部１１は、ｖＣａｒｄのデータ中の名前を含む名称をすでに記憶部２２に記憶されている名称に代えて外部機器の名称として記憶部２２に記憶
させるか否か、すなわちｖＣａｒｄを送信した外部機器の名称を上書きするか否かを確認するメッセージを表示部３に表示させる（Ｓ８）。
【００８１】
次に、制御部１１は、ユーザによって上書き指示があったか否かを判断する（Ｓ９）。制御部１１は、タッチ検出部１３による検出結果に基づいて、ユーザによって外部機器の名称を上書きすることが指示されたと判断すると（Ｓ９：ＹＥＳ）、外部機器の名称をｖＣａｒｄのデータ中の名前を含む名称に変更する（Ｓ１０）。すなわち、制御部１１は、ｖＣａｒｄのデータ中に含まれる名前を含む名称を、すでに記憶されている名称に代えて外部機器の名称として記憶部２２に記憶させる。これにより、本処理は終了する。
【００８２】
一方、制御部１１は、タッチ検出部１３による検出結果に基づいて、ユーザによって外部機器の名称を上書きすることが指示されたと判断しない場合、例えば、図９（ｃ）に示すＮＯボタン１０４ｂがタッチされた場合（Ｓ９：ＮＯ）、記憶部２２に記憶された外部機器の名称を変更することなく、本処理を終了する。
【００８３】
ステップ６において、受信したデータがｖＣａｒｄでないと判断した場合（Ｓ６：ＮＯ）、制御部１１は、図１４に示すように、受信されたデータが画像データであるか否か判断する（Ｓ１１）。受信データが画像データであると判断した場合（Ｓ１１：ＹＥＳ）、制御部１１は、受信されたデータにおいて顔が存在するか否かを判断する（Ｓ１２）。顔検出処理により顔が検出されない、すなわち顔が存在しないと判断すると（Ｓ１２：ＮＯ）、制御部１１は、処理を終了する。顔検出処理により顔が検出された、すなわち顔が存在すると判断すると（Ｓ１２：ＹＥＳ）、制御部１１は、検出された顔がアドレス帳に登録されている顔写真の顔（顔画像）と一致するか否か判断する（Ｓ１３）。この判断は、顔認識処理に基づいて行い、例えば、画像データおよびアドレス帳に登録されている顔写真の顔の特徴をそれぞれ抽出して、その特徴が一致するか否かに基づいて行う。
【００８４】
制御部１１は、顔認識処理により、受信された画像データの少なくとも一部（ここでは、検出された顔）がアドレス帳に含まれている顔画像と一致すると判断した場合（Ｓ１３：ＹＥＳ）、アドレス帳において当該顔画像に関連付けられている通信相手の名前を含む名称を、すでに登録されている、すなわち記憶部２２に記憶されている名称に代えて外部機器の名称として記憶部２２に記憶させることが可能である旨の報知処理を行う（Ｓ１４）。より具体的には、制御部１１は、通信相手の名前を含む名称をすでに記憶部２２に記憶されている名称に代えて外部機器の名称として記憶部２２に記憶させるか否か、すなわち外部機器の名称を上書きするか否かを確認するメッセージを表示部３に表示させる。
【００８５】
次に、制御部１１は、ユーザによって上書き指示があったか否かを判断する（Ｓ１５）。制御部１１は、タッチ検出部１３による検出結果に基づいて、ユーザによって外部機器の名称を上書きすることが指示されたと判断すると（Ｓ１５：ＹＥＳ）、外部機器の名称を上記顔画像に関連付けられている通信相手の名前を含む名称に変更する（Ｓ１６）。すなわち、制御部１１は、通信相手の名前を含む名称を、すでに記憶されている名称に代えて外部機器の名称として記憶部２２に記憶させる。これにより、本処理は終了する。
【００８６】
一方、制御部１１は、タッチ検出部１３による検出結果に基づいて、ユーザによって外部機器の名称を上書きすることが指示されたと判断しない場合（Ｓ１５：ＮＯ）、例えば、図１０（ｃ）に示すＮＯボタン１０６ｂがタッチされた場合、記憶部２２に記憶された外部機器の名称を変更することなく、本処理を終了する。
【００８７】
ステップ１１において、受信データが画像データでないと判断した場合（Ｓ１１：ＮＯ）、制御部１１は、図１５に示すように、受信データが音楽データであるか否か判断する（Ｓ２１）。受信データが音楽データでないと判断した場合（Ｓ２１：ＮＯ）、制御部１
２は、処理を終了する。一方、受信データが音楽データであると判断した場合（Ｓ２１：ＹＥＳ）、制御部１１は、その音楽データが、ユーザによって、アドレス帳に含ま
れる特定の通信相手からの着信に対する着信音に設定されたか否か判断する（Ｓ２２）。
【００８８】
着信音に設定されないと判断した場合（Ｓ２２：ＮＯ）、例えば、図１２（ａ）に示す「拒否する」ボタン１０８ｂがタッチされた場合、記憶部２２に記憶された外部機器の名称を変更することなく、本処理を終了する。
【００８９】
着信音に設定された場合（Ｓ２２：ＹＥＳ）、制御部１１は、その音楽データが着信音として設定された特定の通信相手の名前を含む名称を、すでに登録されている機器の名称に代えて外部機器の名称として登録することが可能である旨の報知処理を行う（Ｓ２３）。より具体的には、着信音として設定された特定の通信相手の名前を含む名称を、すでに登録されている機器の名称に代えて外部機器の名称として登録するか否かをユーザに確認するメッセージを表示部１２に表示させる。
【００９０】
次に、制御部１１は、ユーザによって上書き指示があったか否かを判断する（Ｓ２４）。制御部１１は、タッチ検出部１３による検出結果に基づいて、ユーザによって外部機器の名称を上書きすることが指示されたと判断すると（Ｓ２４：ＹＥＳ）、外部機器の名称を上記着信音が設定された通信相手の名前を含む名称に変更する（Ｓ２５）。すなわち、制御部１１は、通信相手の名前を含む名称を、すでに記憶されている名称に代えて外部機器の名称として記憶部２２に記憶させる。これにより、本処理は終了する。
【００９１】
一方、制御部１１は、タッチ検出部１３による検出結果に基づいて、ユーザによって外部機器の名称を上書きすることが指示されたと判断しない場合（Ｓ２４：ＮＯ）、例えば、図１２（ｃ）に示すＮＯボタン１０６ｂがタッチされた場合、記憶部２２に記憶された外部機器の名称を変更することなく、本処理を終了する。
【００９２】
ステップ１３において、顔認識処理により、受信された画像データの少なくとも一部（検出された顔）がアドレス帳に含まれているいずれの顔写真の顔とも一致しないと判断した場合（Ｓ１３：ＮＯ）、制御部１１は、図１６に示すように、その画像データが、ユーザによって、アドレス帳に含まれる特定の通信相手の顔写真として登録されたか否か判断する（Ｓ３１）。アドレス帳に登録されないと判断した場合（Ｓ３１：ＮＯ）、例えば、図１１（ａ）に示す「拒否する」ボタン１０７ｂがタッチされた場合、記憶部２２に記憶された外部機器の名称を変更することなく、本処理を終了する。なお、ステップ１３において、制御部１１は、アドレス帳に顔写真が全く登録されていない場合も、受信された画像データの少なくとも一部（検出された顔）がアドレス帳に含まれているいずれの顔写真の顔とも一致しないと判断する（Ｓ１３：ＮＯ）。
【００９３】
アドレス帳に登録されたと判断した場合（Ｓ３１：ＹＥＳ）、制御部１１は、携帯電話機１ａは、その画像データが顔写真として登録された特定の通信相手の名前を含む名称を、すでに登録されている機器の名称に代えて外部機器の名称として登録することが可能である旨の報知処理を行う（Ｓ３２）。より具体的には、顔写真が設定された特定の通信相手の名前を含む名称を、すでに登録されている機器の名称に代えて外部機器の名称として登録するか否かをユーザに確認するメッセージを表示部１２に表示させる。
【００９４】
次に、制御部１１は、ユーザによって上書き指示があったか否かを判断する（Ｓ３３）。制御部１１は、タッチ検出部１３による検出結果に基づいて、ユーザによって外部機器の名称を上書きすることが指示されたと判断すると（Ｓ３３：ＹＥＳ）、外部機器の名称を上記画像データが顔写真として登録された通信相手の名前を含む名称に変更する（Ｓ３４）。すなわち、制御部１１は、当該通信相手の名前を含む名称を、すでに記憶されてい
る名称に代えて外部機器の名称として記憶部２２に記憶させる。これにより、本処理は終了する。
【００９５】
一方、制御部１１は、タッチ検出部１３による検出結果に基づいて、ユーザによって外部機器の名称を上書きすることが指示されたと判断しない場合（Ｓ３３：ＮＯ）、例えば、図１１（ｃ）に示すＮＯボタン１０６ｂがタッチされた場合、記憶部２２に記憶された外部機器の名称を変更することなく、本処理を終了する。
【００９６】
次に、図１７，図１８のフローチャートを用いて、ＢＴ通信部１２を介してデータを受信した直後ではなく、例えば、図１１における「拒否する」ボタン１０７ｂ又は図１２における「拒否する」ボタン１０８ｂをタッチして処理を一旦終了した後に、再度データをアドレス帳に含まれる通信相手の名前と関連付けた場合の処理を説明する。以下では、まず、保存されている画像データを選択して、それをアドレス帳に含まれる特定の人物の顔写真として登録した場合について説明する。
【００９７】
制御部１１は、保存されている画像データを選択して、それをアドレス帳に含まれる特定の人物の顔写真として登録したか否か判断する（Ｓ４１）。保存されている画像データがアドレス帳に含まれる特定の人物の顔写真として登録されたと判断しない場合（Ｓ４１：ＮＯ）、制御部１１は、ステップ４１を繰り返す。
【００９８】
保存されている画像データがアドレス帳に含まれる特定の人物の顔写真として登録されたと判断した場合（Ｓ４１：ＹＥＳ）、制御部１１は、その画像データがＢＴ通信部１８を介して、ＢＴ通信により受信されたものか否か判断する（Ｓ４２）。ここで、制御部１１は、画像データのＥｘｉf情報や画像管理データベースにおいて、その画像データにブ
ルートゥースアドレスが関連付けられているか否か判断する。制御部１１は、その画像データにブルートゥースアドレスが関連付けられていない、すなわちその画像データがＢＴ通信により受信されたものであると判断しない場合（Ｓ４２：ＮＯ）、本処理を終了する。
【００９９】
制御部１１は、その画像データにブルートゥースアドレスが関連付けられている、すなわちその画像データがＢＴ通信により受信されたものであると判断すると（Ｓ４２：ＹＥＳ）、画像データが顔写真として登録された特定の通信相手の名前を含む名称を、すでに登録されている外部機器の名称に代えて外部機器の名称として登録することが可能である旨の報知処理を行う（Ｓ４３）。より具体的には、画像データが顔画像として登録された特定の通信相手の名前を含む名称を、すでに登録されている機器の名称に代えて外部機器の名称として登録するか否かをユーザに確認するメッセージを表示部１２に表示させる。
【０１００】
次に、制御部１１は、ユーザによって上書き指示があったか否かを判断する（Ｓ４４）。制御部１１は、タッチ検出部１３による検出結果に基づいて、ユーザによって外部機器の名称を上書きすることが指示されたと判断すると（Ｓ４４：ＹＥＳ）、外部機器の名称を通信相手の名前を含む名称に変更する（Ｓ４５）。すなわち、制御部１１は、通信相手の名前を含む名称を、すでに記憶されている名称に代えて外部機器の名称として記憶部２２に記憶させる。これにより、本処理は終了する。
【０１０１】
一方、制御部１１は、タッチ検出部１３による検出結果に基づいて、ユーザによって外部機器の名称を上書きすることが指示されたと判断しない場合（Ｓ４４：ＮＯ）、例えば、ユーザによって外部機器の名称の上書きを拒否する処理がなされた場合、記憶部２２に記憶された外部機器の名称を変更することなく、本処理を終了する。
【０１０２】
次に、図１８を用いて、保存されている音楽データを選択して、それをアドレス帳に含
まれる特定の人物からの着信に対する着信音として設定した場合について説明する。
【０１０３】
制御部１１は、保存されている音楽データを選択して、それをアドレス帳に含まれる特定の人物からの着信に対する着信音として設定したか否か判断する（Ｓ５１）。保存されている音楽データがアドレス帳に含まれる特定の人物の着信音として設定されたと判断しない場合（Ｓ５１：ＮＯ）、制御部１１は、ステップ４１を繰り返す。
【０１０４】
保存されている音楽データがアドレス帳に含まれる特定の人物の着信音として設定されたと判断した場合（Ｓ５１：ＹＥＳ）、制御部１１は、その音楽データがＢＴ通信部１８を介して、ＢＴ通信により受信されたものか否か判断する（Ｓ５２）。ここで、制御部１１は、音楽管理データベースにおいて、その音楽データにブルートゥースアドレスが関連付けられているか否か判断する。制御部１１は、その音楽データにブルートゥースアドレスが関連付けられていない、すなわちその音楽データがＢＴ通信により受信されたものであると判断しない場合（Ｓ５２：ＮＯ）、本処理を終了する。
【０１０５】
制御部１１は、その音楽データにブルートゥースアドレスが関連付けられている、すなわちその音楽データがＢＴ通信により受信されたものであると判断すると（Ｓ５２：ＹＥＳ）、音楽データが着信音として設定された特定の通信相手の名前を含む名称を、すでに登録されている外部機器の名称に代えて外部機器の名称として登録することが可能である旨の報知処理を行う（Ｓ５３）。より具体的には、音楽データが着信音として設定された特定の通信相手の名前を含む名称を、すでに登録されている機器の名称に代えて外部機器の名称として登録するか否かをユーザに確認するメッセージを表示部１２に表示させる。
【０１０６】
次に、制御部１１は、ユーザによって上書き指示があったか否かを判断する（Ｓ５４）。制御部１１は、タッチ検出部１３による検出結果に基づいて、ユーザによって外部機器の名称を上書きすることが指示されたと判断すると（Ｓ５４：ＹＥＳ）、外部機器の名称を通信相手の名前を含む名称に変更する（Ｓ５５）。すなわち、制御部１１は、通信相手の名前を含む名称を、すでに記憶されている名称に代えて外部機器の名称として記憶部２２に記憶させる。これにより、本処理は終了する。
【０１０７】
一方、制御部１１は、タッチ検出部１３による検出結果に基づいて、ユーザによって外部機器の名称を上書きすることが指示されたと判断しない場合（Ｓ５４：ＮＯ）、例えば、ユーザによって外部機器の名称の上書きを拒否する処理がなされた場合、記憶部２２に記憶された外部機器の名称を変更することなく、本処理を終了する。
【０１０８】
＜補足＞
これまでの説明では、報知処理を、すでに記憶されている名称に代えて外部機器の名称として記憶部２２に記憶させるかどうかをユーザに確認するメッセージを表示部１２に表示させる処理としたが、表示部１２にメッセージを表示させることに限らず、アラーム音を出力させてもよいし、バイブレータ機能により通信機器の本体を振動させてもよく、これらを併用してもよい。
【０１０９】
例えば、バイブレータ機能により通信機器の本体を振動させる場合、ユーザは、その振動により、外部機器の名称を書き換えることが可能であることを知らされる。ユーザは、所定の処理を行うことにより、外部機器の名称を変更するための画面をディスプレイ３に表示させ、外部機器の名称を変更することができる。
【０１１０】
上述の説明では、携帯電話機１ａが報知処理を行う一例として、外部機器からｖＣａｒｄを受信した場合を示したが、ｖＣａｒｄに限らず、例えば、ｖＣａｌｅｎｄａｒ等の所定の情報（例えば、名前）を含むその他のデータであってもよい。
【０１１１】
また、携帯電話機１ａが報知処理を行う一例として、受信した画像データの少なくとも一部がアドレス帳に含まれる顔画像と一致すると判断した場合を説明したが、受信した画像データの少なくとも一部がアドレス帳に含まれる顔画像と一致する場合とは、受信された画像データとアドレス帳に含まれる顔写真のデータとが完全に一致する必要はなく、例えば、受信された画像データにおいて検出された顔と、アドレス帳に含まれる顔写真の顔とが、同一人物と認識できる程度に一致していればよい。例えば、受信された画像データにおいて検出された顔とアドレス帳に含まれる顔写真の顔との間で、目、鼻、口等の一部の特徴が一致していればよい。
【０１１２】
さらに、アドレス帳において通信相手の名前と関連付けられる画像は、顔画像である必要はなく、例えば、動物の画像や花の画像のように顔以外の画像であってもよい。例えば、アドレス帳に通信相手の名前と関連付けて顔写真として花の画像が登録されている場合や顔写真として顔と花とを含む画像が登録されている場合に、当該花の画像を含む画像データ、例えば、登録されている顔写真における花と特徴が一致する花の画像を含む画像データが受信されると、報知処理が行われてもよい。
【０１１３】
また、携帯電話機１ａが報知処理を行う一例として、受信されたデータがアドレス帳に含まれる特定の通信相手の名前と関連付けられた場合を挙げ、さらにこの場合の具体例として、画像データをアドレス帳に含まれる特定の通信相手の画像として登録した場合、および音楽データをアドレス帳に含まれる特定の通信相手からの着信に対する着信音に設定した場合を例示したが、これらの例示に限られない。
【０１１４】
なお、発明が詳細に説明され図示されたが、それは単なる図解および一例として用いたものであり、限定であると解されるべきではないことは明らかであり、この発明の精神および範囲は添付されたクレームの文言によってのみ限定される。
【符号の説明】
【０１１５】
１：携帯電話機
２：筐体
３：ディスプレイ
４：タッチパネル
５：マイクロフォン
６：通話スピーカ
７：外部スピーカ
８：撮像レンズ
【図１】
2015027059.tif 000003
【図２】
2015027059.tif 000004
【図３】
2015027059.tif 000005
【図４】
2015027059.tif 000006
【図５】
2015027059.tif 000007
【図６】
2015027059.tif 000008
【図７】
2015027059.tif 000009
【図８】
2015027059.tif 000010
【図９】
2015027059.tif 000011
【図１０】
2015027059.tif 000012
【図１１】
2015027059.tif 000013
【図１２】
2015027059.tif 000014
【図１３】
2015027059.tif 000015
【図１４】
2015027059.tif 000016
【図１５】
2015027059.tif 000017
【図１６】
2015027059.tif 000018
【図１７】
2015027059.tif 000019
【図１８】
2015027059.tif 000020